(57)【要約】【課題】簡素な構成で安価に提供され、かつ、豪雨などの非常事態があっても排水口上方に溜まった水を排水口から確実に排出することのできるストレーナが望まれている。【解決手段】ストレーナ１は、ベランダなどの排水口を通水自在に蓋う漉し部材２に、ストレーナ１全体を水に浮上可能とする浮き部材５が保持されたものである。漉し部材２は浮き部材５を籠内空間４に収容する中空球籠状に形成されている。このストレーナ１によれば、排水口上に水が溜まったときに浮き部材５の浮力でストレーナ１全体が水に浮いて上昇し、排水口の上方を開放するので、溜まった水を排水口から確実に排出することができる。【選択図】図１
2007162374.tif 000002
【特許請求の範囲】
【請求項１】
排水口を通水自在に蓋う漉し部材に、ストレーナ全体を水に浮上可能とする浮き部材が保持されて成る排水口のストレーナ。
【請求項２】
漉し部材が、浮き部材を内部に収容する中空球籠状に形成されている請求項１に記載の排水口のストレーナ。
【発明の詳細な説明】
【技術分野】
【０００１】
本発明は、各階のベランダの床や壁または屋上の床などに設けられた排水口を通水自在に蓋うストレーナに関するものである。
【背景技術】
【０００２】
近年、図７に示すように、２階などのベランダ１０を備えた住宅建築が増えている。このベランダ１０は、住宅建築の外壁から屋外に突設された床１１と、床１１の先端に立設された壁１２とから成っている。床１１には排水口１６が上下貫通して設けられており、排水口１６に排水路１７が連結されている。住宅建築の室内１３は敷居１４の引戸枠１５上を走行するガラスサッシにより室外と区画されている。一般に、床１１は排水口１６の位置が最も低くなるように傾斜させてあり、排水路１７は大量の降雨があっても雨水を排出可能な流路面積を有するものが使用されている。排水口１６はストレーナ５１で蓋われる。ストレーナ５１は、排水口１６を通水自在に蓋う漉し部材５２と、漉し部材５２の下面にボルト止めされて排水口１６内に挿通係止される係止用バネ板５４とから成っている。漉し部材５２には多数の通水開口部５３，５３，５３，・・・が周方向に適宜間隔で形成されている。
【０００３】
かかる住宅建築では、風に乗って飛来した落ち葉や食品包装袋などがベランダ１０の床１１上に落ちる。床１１に飛来した落ち葉などは、風により、或いはベランダ１０に降り注いだ雨水の流れによって、排水口１６に向かいストレーナ５１で留められる。かかる落ち葉などがストレーナ５１の漉し部材２に堆積していても、雨水は落ち葉などの隙間を通り抜け、更に漉し部材５２の通水開口部５３，５３，５３，・・・を通って排水口１６から排水管１７へ流出するようになっている。
【０００４】
【特許文献１】特開平８−１８９１５１号公報（図５参照）
【発明の開示】
【発明が解決しようとする課題】
【０００５】
ところで、豪雨になると、漉し部材５２の通水開口部５３，５３，５３，・・・を通って流出する雨水流出量よりも床１１上への降雨量が多くなり、床１１上の雨水の水位が異常に上昇する。そのうち、雨水が例えば図中Ｓで示す水位に達すると敷居１４を超えてしまい、室内１３を台無しにするおそれがある。
かかる非常事態を回避するために、通常の排水口１６以外に、壁１２に横向きのオーバフロー管（不図示）を穿設して豪雨時に備えるという対策を講じることが考えられる。しかしながら、別途にオーバフロー管を壁１２に設けることは、工事の手間が増えて工事コストの高騰を招くという問題が残る。
【０００６】
本発明は、上記した従来の問題点に鑑みてなされたものであって、簡素な構成で安価に提供され、かつ、豪雨などの非常事態があっても排水口上方に溜まった水を排水口から排出することのできるストレーナの提供を目的とする。
【課題を解決するための手段】
【０００７】
上記目的を達成するために、本発明に係る排水口のストレーナは、排水口を通水自在に蓋う漉し部材に、ストレーナ全体を水に浮上可能とする浮き部材が保持されて成るものである。
【０００８】
また、前記構成において、漉し部材が、浮き部材を内部に収容する中空球籠状に形成されているものである。
【発明の効果】
【０００９】
本発明に係る排水口のストレーナによれば、排水口を通水自在に蓋う漉し部材に、ストレーナ全体を水に浮上可能とする浮き部材が保持されているので、排水口の上方に或る程度水が溜まったときに、浮き部材の浮力でストレーナ全体が水に浮いて上昇し排水口を開放する。従って、豪雨などの非常事態であっても排水口上方に溜まった水を排水口から確実に排出することができる。また、元来必要な漉し部材に浮き部材を加えた構成であるから、構成が簡素で安価に提供され得る。
【００１０】
そして、浮き部材を内部に収容する中空球籠状に漉し部材が形成されている場合は、排水口の位置が最も低くなるように傾斜している床のどの位置に、ストレーナを置いても、ストレーナは床上を自ずと転がって移動し排水口を蓋うことができる。一方、床に溜まった水にストレーナが浮いている場合、水は排水口に向かって流れるため、浮いているストレーナも水の流れによって排水口の真上位置に移動し、水位が下がったときに下降して排水口を自動的に蓋うことができる。
【発明を実施するための最良の形態】
【００１１】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る排水口のストレーナを示す正面図、図２は前記ストレーナの通常使用の態様を示す説明図である。但し、図７に示した住宅建築の構成要素と同じ要素には同一の符号を付すとともに、その詳細な説明を省略することがある。
各図において、この実施形態に係るストレーナ１は、ベランダ１０の床１１の排水口１６に装着される漉し部材２と、漉し部材２の籠内空間４に収容されることにより結果として漉し部材２に保持される浮き部材５とから構成されている。
【００１２】
漉し部材２は、リング体３の全周にわたって所定間隔で溶接付けされた横線材２Ｂ，２Ｂ，２Ｂ，・・・に縦線材２Ａ，２Ａ，２Ａ，・・・を編み込んだ半球籠状体２Ｃが２つ組み合わされて形成される。すなわち、２つの半球籠状体２Ｃ，２Ｃのリング体３，３を向かい合わせた状態で、球形の浮き部材５を半球籠状体２Ｃ，２Ｃ内に入れたのち、つき合わせたリング体３，３を結束具や溶接で固定することにより、中空球籠状の漉し部材２が形成される。これにより、漉し部材２の籠内空間４に浮き部材５を収容・保持したストレーナ１が完成する。漉し部材２のリング体３、横線材２Ｂ、および縦線材２Ａはこの例ではステンレス鋼材で構成してあるが、竹材、木材、あるいは耐候性プラスチックなどで構成することも可能である。
【００１３】
漉し部材２の球径は排水口１６を蓋える球径に設定されている。浮き部材５はストレーナ１全体を水に浮上可能とする体積のものが用いられ、その体積は漉し部材２の重量により左右される。この例において、浮き部材５は発泡ポリスチレン製であり球形に形成されている。漉し部材２における縦線材２Ａ，２Ａと横線材２Ｂ，２Ｂ間に形成される通水開口部６は、ベランダ１０に飛来する落ち葉や商品包装袋などを捕捉できる開目に設定されている。
【００１４】
前記した構成のストレーナ１は、図２のように、ベランダ１０の排水口１６に被せて使用される。ベランダ１０の床１１に飛来した落ち葉などは、風により、或いは降り注いだ雨水の流れに伴って排水口１６に向かいストレーナ１の漉し部材２で留められる。このように漉し部材２に落ち葉などが堆積していても、通常、雨水は落ち葉などの隙間を通り抜け、更には漉し部材２の通水開口部６，６，６，・・・を通って排水口１６から排水路１７へと流出する。
【００１５】
一方で、漉し部材２の周囲に落ち葉などが堆積している状態で豪雨に遭遇した場合、落ち葉およびストレーナ１を通って排水口１６へ流出する雨水流出量よりも床１１上への降雨量が多くなって、床１１上に雨水が溜まることがある。
このように床１１上に溜まった雨水が所定の水位ＳＡになると、図３に示すように、浮き部材５の浮力によりストレーナ１全体が浮き上がり、漉し部材２の底部が排水口１６から離れる。これにより、漉し部材２の周囲に堆積していた落ち葉などが排水口１６から配水路１７へ流下して排水口１６の周囲および上方を開放する。これにより、排水口１６から流出する雨水流出量が多くなり、床１１上の雨水の水位が下がっていく。それに伴ってストレーナ１も下降し、再び排水口１６を蓋うのである。尚、ストレーナ１の周囲に堆積した落ち葉などはさほど多くないので、かかる落ち葉などが排水路１７を流下して雨水桝に達したとしても支障を生じることはない。
【００１６】
上記したように、このストレーナ１は、雨が降っていないときは落ち葉などを留めて排水口１６や排水路１７を詰まらせないようにする。一方で、大量の降雨によりベランダ１０の床１１に雨水が溜まった場合は、浮き部材５の浮力によりストレーナ１全体が雨水に浮上して排水口１６を開放するので、床１１に溜まっていた雨水を排水口１６から排水路１７へと迅速に排出させることができる。これにより、床１１上に溜まった雨水が敷居１４を超えて室内１３に流れ込むといった緊急事態を回避することができる。また、このストレーナ１は上記のように簡素な構成であるから、製造が容易で安価に提供される。加えて、ベランダ１０の壁１２に、工事の手間とコストがかかるオーバフロー管を設けなくて済む。
【００１７】
そして、通常、床１１は排水口１６の位置が最も低くなるように傾斜して形成されているので、雨天時以外に球籠状のストレーナ１は床１１上のどの位置に置かれても自然に転がって排水口１６を蓋う位置に移動する。他方で、床１１に溜まった雨水上にストレーナ１が浮いている場合、雨水は排水口１６に向かって流れているため、雨水の流れによってストレーナ１も排水口１６の真上位置に移動して浮いており、水位が低くなったときは自ずと下降して排水口１６を蓋うのである。
【００１８】
上記したストレーナ１は、図４に示すように、ベランダ１０の壁１２に横向きに貫通して形成された排水口１６ａにも適用可能である。通常、排水口１６ａは床１１の最も低くなった位置の壁１２に設けられているので、外部からの力を受けない限り、漉し部材２が球形であるストレーナ１は自ずと排水口１６ａを塞ぐ位置に移動する。
【００１９】
尚、上記の実施形態では、中空球籠状の漉し部材２の内部に球状の浮き部材５を収容したストレーナ１を例示したが、本発明のストレーナはそれに限定されるものでない。例えば図５および図６に示したストレーナ１ａは、排水口を通水自在に蓋う漉し部材２ａと、漉し部材２ａの上面に保持された発泡ポリスチレン製で円柱状の浮き部材５ａと、棒長手方向の中央部分で折り曲げられていて漉し部材２ａの下面に垂設されるガイド棒２４，２４とを備えている。
【００２０】
漉し部材２ａは、下向きに湾曲した曲面板状の部材本体２ｂと、部材本体２ｂの周縁部に適宜間隔で垂設された多数の櫛歯状部７，７，７，・・・とから成り、櫛歯状部７，７，７，・・・間は通水開口部６ａ，６ａ，６ａ，・・・と成っている。多数の櫛歯状部７，７，７，・・・は全てが排水口１６を蓋い且つ床１１上に置かれる寸法で形成されている。浮き部材５ａには上下貫通するボルト挿通穴２２が形成され、漉し部材２ａの部材方向２ｂには上下貫通するボルト挿通穴２１が形成され、ガイド棒２４には上下貫通するボルト挿通穴２３が形成されている。これらのボルト挿通穴２３，２１，２２にボルト８が通されてナット９で螺止されることにより、浮き部材５ａおよびガイド棒２４が漉し部材２ａに一体に保持されて、ストレーナ１ａが出来上がる。ガイド棒２４，２４は、排水口１６内に移動自由に装入された状態にされることにより、浮いているストレーナ１ａの横移動を規制し、漉し部材２ａが常に排水口１６の上方位置にあるようにストレーナ１ａを上下に案内する。
かかるストレーナ１ａによっても、通常時は落ち葉などを留める一方、床１１に水が溜まったときは浮き部材５ａの浮力によりストレーナ１ａ全体を水に浮かせて排水口１６を開放する。従って、床１１に溜まった水を排水口１６から排出させることができる。
【００２１】
尚、本発明に用いる浮き部材は、発泡ポリスチレンのような構造以外でもよく、内部に空気室を有するものでよい。また、浮き部材の形状は球状や円柱状のものに限らず、所望形状を採用することが可能である。
【図面の簡単な説明】
【００２２】
【図１】本発明の一実施形態に係る排水口のストレーナを示す正面図である。
【図２】前記ストレーナの通常使用の態様を示す説明図である。
【図３】ベランダに大量の雨水が溜まった状態を示す説明図である。
【図４】前記ストレーナの他の使用態様を示す説明図である。
【図５】本発明の別の実施形態に係る排水口のストレーナを示す外観図である。
【図６】前記別のストレーナの側断面図である。
【図７】従来のストレーナの使用態様を示す説明図である。
【符号の説明】
【００２３】
１，１ａ  ストレーナ
２，２ａ    漉し部材
２Ｃ  半球籠状体
４    籠内空間
５，５ａ  浮き部材
６，６ａ  通水開口部
１０  ベランダ
１１  床
１２  壁
１６，１６ａ  排水口
【図１】
2007162374.tif 000003
【図２】
2007162374.tif 000004
【図３】
2007162374.tif 000005
【図４】
2007162374.tif 000006
【図５】
2007162374.tif 000007
【図６】
2007162374.tif 000008
【図７】
2007162374.tif 000009